(57)【特許請求の範囲】
【請求項１】
映像情報を提供するパネルと、
前記パネルを外部に露出させるウインドウが形成された上板と、前記上板の外周に沿って形成された側壁を有し、前記側壁のうち少なくとも一つは前記上板に対して鋭角を成すように傾斜した上部収納容器と、
底板と、前記底板の外周に沿って形成された側壁を有し，前記上部収納容器と結合して前記パネルを収納する下部収納容器とを含み，
前記上部収納容器は複数の分割パートで構成され，
前記下部収納容器の側壁は，前記上部収納容器の側壁に沿うように，前記底板に対して鈍角を有するように傾斜させて形成されており，
前記上部収納容器の側壁は前記下部収納容器の側壁の外側に配置されることにより前記上部収納容器と前記下部収納容器は結合されることを特徴とする表示装置。
【請求項２】
前記上部収納容器は前記パネルの長辺および短辺に沿って４個に分けられた分割パートで構成されたことを特徴とする請求項１に記載の表示装置。
【請求項３】
前記上部収納容器の前記上板と前記側壁は全体的に「Ｖ」字形状の断面を有することを特徴とする請求項１に記載の表示装置。
【請求項４】
側壁を含み前記上部収納容器および前記下部収納容器の間に収納されて、前記パネルを支持する収納フレームをさらに含み、
前記収納フレームの側壁のうち少なくとも一つの外側面は前記上板に対して鋭角を成すように傾斜したことを特徴とする請求項１に記載の表示装置。
【請求項５】
前記パネルに連結されて前記上部収納容器の側壁と前記下部収納容器の側壁との間に設置される印刷回路基板をさらに含むことを特徴とする請求項１に記載の表示装置。
【請求項６】
前記パネルを外部に露出させるウインドウが形成され、前記パネル、前記上部収納容器および前記下部収納容器を収納するハウジングをさらに含み、
前記ハウジングと前記上部収納容器は前記上部収納容器に結合されたブラケットと結合部材とを利用して結合することを特徴とする請求項１に記載の表示装置。
【発明の詳細な説明】
【技術分野】
【０００１】
本発明は表示装置、上部収納容器および表示装置の組立て方法に関するものであって、さらに詳細には構造安全性とスリム化を実現できる表示装置、上部収納容器および表示装置の組立て方法に関するものである。
【背景技術】
【０００２】
液晶表示装置（Ｌｉｑｕｉｄ  Ｃｒｙｓｔａｌ  Ｄｉｓｐｌａｙ）は現在最も広く使用されているフラットパネル表示装置（Ｆｌａｔ  Ｐａｎｅｌ  Ｄｉｓｐｌａｙ）のうち一つとして、電極が形成されている２枚の基板とその間に挿入されている液晶層とで構成された液晶パネルアッセンブリを含む。液晶表示装置は電極に電圧を印加して液晶層の液晶分子を再配列させることによって透過する光の量を調節する表示装置である。このような液晶表示装置は液晶層を通過する光を提供するバックライトアッセンブリを含み、バックライトアッセンブリはランプ、多様な光学シートおよびこれらを収納する収納容器を含む。
【０００３】
液晶表示装置は液晶パネルアッセンブリとバックライトアッセンブリから成る液晶表示モジュールと、これを収納するハウジングで形成されるが、液晶表示装置が大型化されることにともない液晶表示モジュールとハウジングとの間の結合が弱まる恐れがある。また液晶表示装置がスリム（ｓｌｉｍ）化されることによって、液晶パネルアッセンブリを駆動する駆動部品のサイズが制限される問題があり、その他付属品をハウジング内に配置する空間が狭小するという問題がある。
【特許文献１】韓国公開特許２００４−００１７６４号公報
【発明の開示】
【発明が解決しようとする課題】
【０００４】
本発明が解決しようとする技術的課題は構造の安全性とスリム化を具現できる表示装置を提供しようとするものである。
【０００５】
本発明が解決しようとする他の技術的課題は構造の安全性とスリム化を具現できる上部収納容器を提供しようとするものである。
【０００６】
本発明が解決しようとするまた他の技術的課題はこのような表示装置の組立て方法を提供しようとするものである。
【０００７】
本発明の技術的課題は以上で言及した技術的課題に制限されず、言及されていないまた他の技術的課題は次の記載から当業者に明確に理解できるであろう。
【課題を解決するための手段】
【０００８】
前記技術的課題を達成するための本発明の一実施形態による表示装置は、映像情報を提供するパネルと、パネルを外部に露出させるウインドウが形成された上板と、上板の外周に沿って形成された側壁を有し、側壁のうち少なくとも一つは上板に対して鋭角を成すように傾斜した上部収納容器と、底板と、底板の外周に沿って形成された側壁から成り、上部収納容器と結合してパネルを収納する下部収納容器を含む。
【０００９】
他の技術的課題を達成するための本発明の一実施形態による上部収納容器は、映像情報を提供するパネルを外部に露出させるウインドウが形成された上板と、上板の外周に沿って形成された側壁とを含む。ここで、側壁のうち少なくとも一つは上板に対して鋭角を成すように傾斜することができる。
【００１０】
前記また他の技術的課題を達成するための本発明の一実施形態による表示装置の組立て方法は、下部収納容器内に光源および映像情報を提供するパネルを収納し、多数の分割パートで成された上部収納容器を下部収納容器に締結させ、もしくはパネルを覆うように分割パートどうしを締結させることを含む。ここで、上部収納容器はパネルを外部に露出させるウインドウが形成された上板と、上板の外周に沿って形成された側壁を含み、側壁のうち少なくとも一つは上板に対して鋭角を成すように傾斜させてもよい。
【００１１】
その他実施形態の具体的な事項は詳細な説明および図に含まれている。
【発明の効果】
【００１２】
前述したように本発明による表示装置、上部収納容器および表示装置の組立て方法によれば、液晶表示モジュールの側面のうち少なくとも一部を傾斜するように形成することによって構造の安全性およびスリム化を成し遂げることができる。
【発明を実施するための最良の形態】
【００１３】
本発明の利点および特徴、そしてそれらを達成する方法は添付される図面と共に詳細に後述されている実施形態を参照すれば明確になるであろう。しかし本発明は以下で開示される実施形態に限定されるものではなく互いに異なる多様な形態で具現されるものであり、単に本実施形態は本発明の開示が完全なようにし、本発明が属する技術分野で通常の知識を有する者に発明の範疇を完全に知らせるために提供されるものであり、本発明は請求項の範囲によってのみ定義される。図面において層および領域のサイズおよび相対的なサイズは説明の明瞭性のために誇張されたものであり得る。明細書全体にかけて同一参照符号は同一構成要素を指称する。
【００１４】
本明細書で記述する実施形態は本発明の理想的な概略図である平面図および断面図を参考にして説明する。したがって、製造技術および／または許容される誤差などによって例示図の形態が変形され得る。よって、本発明の実施形態は図示された特定の形態に制限されるものではなく製造工程によって生じてくる形態の変化も含むものである。よって、図面に例示された領域は概略的な属性を有し、図面に例示された領域の形は素子の領域の特定形態を例示するためであり、発明の範疇を制限するためのものではない。
【００１５】
本発明の一実施形態による液晶表示装置は大きく液晶表示モジュールと、これを収納するハウジングを含む。以下に、図１ないし図４Ｂを参照して液晶表示装置に含まれる液晶表示モジュールに対して説明し、続いて液晶表示モジュールとハウジングの結合関係に対して説明する。
【００１６】
添付された図１は本発明の一実施形態による液晶表示モジュールを示す分解斜視図である。図２Ａは図１の液晶表示モジュールを組立てた斜視図であり、図２Ｂは図２Ａの液晶表示モジュールの側面図である。図３Ａは図２Ａの液晶表示モジュールをＡ−Ａ'線に沿って切断した断面図である。図３Ｂは図３Ａの変形例である。図３Ｃは図２Ａの液晶表示モジュールをＢ−Ｂ'線に沿って切断した断面図である。
【００１７】
図１ないし図３Ｃを参照すれば、液晶表示モジュール１００は全体的に見て液晶パネルアッセンブリ１３０、バックライトアッセンブリ１４０および上部収納容器１１０を含む。
【００１８】
そして液晶パネルアッセンブリ１３０は下部表示板１３３、上部表示板１３４およびこれらの間に介在した液晶層（未図示せず）からなる液晶パネル１３６、ゲートチップフィルムパッケージ１３１、データチップフィルムパッケージ１３２および印刷回路基板１３５を含む。
【００１９】
液晶パネル１３６は映像情報を提供し、ゲートライン（図示せず）、データライン（図示せず）、薄膜トランジスタアレイ、画素電極などを含む下部表示板１３３と、ブラックマトリックス（ｂｌａｃｋ  ｍａｔｒｉｘ）、共通電極などを含み下部表示板１３３に対向するように配置された上部表示板１３４を含む。
【００２０】
ゲートチップフィルムパッケージ１３１は下部表示板１３３に形成された各ゲートラインに接続され、データチップフィルムパッケージ１３２は下部表示板１３３に形成された各データラインに接続される。このように下部表示板１３３の外周にはゲートチップフィルムパッケージ１３１およびデータチップフィルムパッケージ１３２と各々接続するゲートラインおよびデータラインが形成されている。
【００２１】
一方、印刷回路基板１３５ではゲートチップフィルムパッケージ１３１にゲート駆動信号およびデータチップフィルムパッケージ１３２にデータ駆動信号を入力可能なようにするゲート駆動信号およびデータ駆動信号をすべて処理するための様々な駆動部品が実装される。
【００２２】
そしてバックライトアッセンブリ１４０は光学シート１４１、拡散プレート１４２、ランプ１４３、および反射板１４４を含む。
【００２３】
ランプ１４３は液晶パネル１３６に光を提供する光源であって、ランプ１４３としてはＣＣＦＬ（Ｃｏｌｄ  Ｃａｔｈｏｄｅ  Ｆｌｕｏｒｅｓｃｅｎｔ  Ｌａｍｐ）、ＨＣＦＬ（Ｈｏｔ  Ｃａｔｈｏｄｅ  Ｆｌｕｏｒｅｓｃｅｎｔ  Ｌａｍｐ）、ＥＥＦＬ（Ｅｘｔｅｒｎａｌ  Ｅｌｅｃｔｒｏｄｅ  Ｆｌｕｏｒｅｓｃｅｎｔ  Ｌａｍｐ）等を使用してもよい。このようなランプ１４３は外部からランプ１４３に印加されたランプ駆動電圧によって、光を発生する。またランプ１４３は互いに均一な距離に離隔されて並列に接続され、直下型で構成されてもよい。ランプ１４３内部の放電ガスの分布が一定するようにして均一な輝度を得るためにランプ１４３は液晶パネル１３６に対して長手向に配列されるのが好ましい。
【００２４】
ランプソケット１４８は下部収納容器１６０に形成されたソケット挿入部（図示せず）に挿入されて固定され、ランプ１４３の終端に対応するように位置してランプ１４３を支持および固定する。ランプソケット１４８は外部から提供されるランプ駆動電圧をランプ１４３の電極に提供する。
【００２５】
本実施形態では液晶表示モジュール１００の光源としてランプ１４３のような線光源を利用して説明しているが、本発明はランプ１４３に代ってＬＥＤ（Ｌｉｇｈｔ  Ｅｍｉｔｔｉｎｇ  Ｄｉｏｄｅ）等のような点光源またはＦＦＬ（Ｆｌａｔ  Ｆｌｕｏｒｅｓｃｅｎｔ  Ｌａｍｐ）等の面光源を光源として使用してもよい。ここで、ＬＥＤ光源は少なくとも一つの基板上に複数のＬＥＤ（Ｌｉｇｈｔ  Ｅｍｉｔｔｉｎｇ  Ｄｉｏｄｅ）が配置された構造を有してもよい。
【００２６】
拡散プレート１４２はランプ１４３の上部に配置されてもよく、ランプ１４３から発生した光の輝度均一性を向上させる役割をする。すなわち拡散プレート１４２はランプ１４３から発散された光が液晶パネル１３６の前面に向かうようにガイドして、その光りが広い範囲の角度で液晶パネル１３６に入射されるようにする。このような拡散プレート１４２は例えばアクリル樹脂などのような透明なフィルムの両面に光拡散用部材をコーティングして形成してもよい。
【００２７】
反射板１４４はランプ１４３の下部に設置されてランプ１４３の下部に放出される光を上部に反射する。このような反射板１４４は下部収納容器１６０の底面に一体で形成されてもよい。すなわち下部収納容器１６０をアルミニウムまたはアルミニウム合金などの反射度が高い物質で構成して下部収納容器１６０自体が反射板１４４の機能を遂行できるように構成されもよい。
【００２８】
そして光学シート１４１は拡散プレート１４２上部に設置され、ランプ１４３から伝達される光を拡散し集光する役割をする。光学シート１４１は拡散シート（ｄｉｆｆｕｓｉｏｎ  ｓｈｅｅｔ）、第１プリズムシート、第２プリズムシートなどを含んでもよい。
【００２９】
ここで拡散シートはランプ１４３上部に位置してランプ１４３から入射される光の輝度および輝度均一性を向上させる役割をする。
【００３０】
第１プリズムシートは拡散シート上部に位置し、第１プリズムシートの一面には拡散シートから拡散された光を集光して出射するための三角柱の形のプリズムパターン（図示せず）が一定の配列を有して形成される。例えば、第１プリズムシートとしては輝度強化フィルム（Ｂｒｉｇｈｔｎｅｓｓ  Ｅｎｈａｎｃｅｍｅｎｔ  Ｆｉｌｍ、ＢＥＦ）を使用してもよい。
【００３１】
第２プリズムシートは第１プリズムシート上部に位置し、光を集光および偏光して出射する多層構造の反射型偏光プリズムシートである。例えば、第２プリズムシートとしてはデュアル輝度強化フィルム（Ｄｕａｌ  Ｂｒｉｇｈｔｎｅｓｓ  Ｅｎｈａｎｃｅｍｅｎｔ  Ｆｉｌｍ、ＤＢＥＦ）を使用してもよい。ただし第１プリズムシートだけでも輝度および広い視野角を十分に確保できる場合第２プリズムシートは除外してもよい。
【００３２】
バックライトアッセンブリ１４０はこのような光学シート１４１、拡散プレート１４２、ランプ１４３および反射板１４４を収納する収納フレーム１５０および下部収納容器１６０を含む。
【００３３】
液晶パネル１３６は光学シート１４１の上に設置され、収納フレーム１５０の支持を受けて下部収納容器１６０内に配置される。
【００３４】
収納フレーム１５０は長方形形状の外周に沿って形成された側壁で構成され、その内側面に段差部または突起部が形成されて液晶パネル１３６を支持できる構造で形成されてもよい。収納フレーム１５０を構成する側壁の外側面は傾斜面で構成されてもよい。すなわち収納フレーム１５０の互いに対向する側壁と側壁の間の距離は液晶パネル１３６に隣接した部分から下部収納容器１６０に隣接した部分にいくほど幅が狭くなる構造を有してもよい。図１から図３Ｃに示す本実施形態では収納フレーム１５０を構成するすべての側壁の外側面が傾斜面を形成する場合を例にあげて説明しているが、本発明はこれに限定されず収納フレーム１５０の少なくとも一つの側壁の外側面が傾斜面を有するものであってもよい。
【００３５】
下部収納容器１６０は長方形形状を有する底板と、底板の外周に沿って形成された側壁で構成されて側壁内に光学シート１４１、拡散プレート１４２、ランプ１４３、反射板１４４および液晶パネル１３６を受容し固定させる役割を行う。また下部収納容器１６０は多数の光学シート１４１が撓むことを防止する。そして液晶パネルアッセンブリ１３０の印刷回路基板１３５は下部収納容器１６０の側壁に沿って曲げられて下部収納容器１６０の側壁の一つまたは背面に設置される。ここで印刷回路基板１３５が下部収納容器１６０の側壁に配置される場合、印刷回路基板１３５に対応する下部収納容器の側壁は断面が折り返されて「コ」の字形状またはＵ字形状を有してもよい。下部収納容器１６０の側壁に配置されるただし、本発明は下部収納容器１６０の側壁の形状に限定されず、図３Ｂに図示されるように液晶パネル１３６の長辺に対応する下部収納容器１６０の側壁は折り返しのない単一壁構造を有してもよい。図３Ｂは図３Ａの変形例を示し、図３Ｂに図示されたように下部収納容器１６０の側壁はその底板に対して鈍角に傾斜した構造を有してもよい。すなわち、下部収納容器１６０の側壁は上部収納容器１１０の側壁と実質的に平行となるように傾斜するように形成されてもよい。
【００３６】
下部収納容器１６０の側壁は底板に対して傾斜するように形成されてもよい。すなわち下部収納容器１６０の側壁と底板との間の角が鈍角で形成してもよい。したがって下部収納容器１６０の側壁は収納フレーム１５０の外側面に対して実質的に平行に傾斜するように形成されてもよい。ただし図３Ａおよび図３Ｃに現れた本実施形態では液晶パネル１３６の長辺に対応する下部収納容器１６０の側壁が傾斜を形成する場合を例にあげて説明しているが、本発明はこれに限定されない。すなわち液晶パネル１３６の短辺に対応する下部収納容器１６０の側壁も収納フレーム１５０の側壁の外側面または上部収納容器１１０の側壁の外側面と実質的に平行となるように傾斜させて形成してもよい。
【００３７】
印刷回路基板１３５が下部収納容器１６０の側壁に配置される場合において、下部収納容器１６０の側壁が底板に対して傾斜するように形成される場合は、下部収納容器１６０の側壁が垂直（直立）で形成される場合に比べて印刷回路基板１３５の幅を相対的に長くすることができる。すなわち印刷回路基板１３５の全体面積が広くなる効果があり、したがって印刷回路基板１３５を構成する基板を単層構造で形成するか、もしくは、多層で形成せずわずかな層構造で形成しても広い面積を利用して印刷回路基板１３５上に複雑な回路パターンを実現することができる。
【００３８】
下部収納容器１６０の形状は、光学シート１４１、光学プレート１４２、ランプ１４３、反射板１４４または液晶パネルアッセンブリ１３０が下部収納容器１６０に収納される方法によって多様に変形してもよい。下部収納容器１６０はシャーシ（ｃｈａｓｓｉｓ）等の導電性物質で構成され得る。
【００３９】
下部収納容器１６０に反射板１４４、ランプ１４３が収納されれば第１側部モールド１４５がランプ１４３の両端に結合され、ランプ１４３は下部収納容器１６０内に固定される。また第２側部モールド１４６はランプ１４３の長手方向にそってランプ１４３と下部収納容器１６０の側壁の間に配置される。第１側部モールド１４５および第２側部モールド１４６は反射板１４４と同様にランプ１４３から放出される光を上部で反射させる役割を果たすことができる。
【００４０】
そして下部収納容器１６０に収納された液晶パネルアッセンブリ１３０の上面を覆うように上部収納容器１１０が下部収納容器１６０と結合するように配置される。上部収納容器１１０は液晶パネルアッセンブリ１３０を外部に露出させるウインドウが形成された上板と、上板の外周に沿って形成された側壁で形成されている。上部収納容器１１０の側壁は収納フレーム１５０の外側面および／または下部収納容器１６０の側壁と実質的に平行となるように傾斜するように形成されてもよい。上部収納容器１１０は、全体的に「Ｖ」字形状の断面を有し、上部収納容器１１０の上板と側壁の間の角度（θ１）は鋭角を成し得るように形成されてもよい。
【００４１】
上部収納容器１１０は、フック結合（図示せず）および／またはねじ結合（図示せず）によって下部収納容器１６０と締結されてもよい。これだけでなく、上部収納容器１１０と下部収納容器１６０の結合は多様な形態で変形してもよい。バックライトアッセンブリ１４０が組立てられた後バックライトアッセンブリ１４０上部に液晶パネルアッセンブリ１３０が設置され、続いて上部収納容器１１０が下部収納容器１６０と結合する。先立って言及した通り上部収納容器１１０、下部収納容器１６０および収納フレーム１５０の対向する側壁の間の距離は上部収納容器１１０から下部収納容器１６０に向かった方向に全体的な幅が狭くなり、それぞれ傾斜するように形成されている。したがって上部収納容器１１０を下部収納容器１６０に結合させるために上部収納容器１１０は互いに分離され、結合させることができる多数の分割パート１１０ａ、１１０ｂ、１１０ｃ、１１０ｄで構成されてもよい。したがって図１および図３Ａを参照すれば上部収納容器１１０を構成する多数の分割パート１１０ａ、１１０ｂ、１１０ｃ、１１０ｄは各々下部収納容器１６０の側壁とねじ１１２またはフック（未図示）によって結合されてもよい。本実施形態では上部収納容器１１０が液晶パネル１３６の長辺および短辺に沿って４個の分割パート１１０ａ、１１０ｂ、１１０ｃ、１１０ｄで構成された場合を例にあげて説明したが、本発明は前記の上部収納容器１１０が分割される個数および方法に限定されない。
【００４２】
図４Ａおよび図４Ｂに図示された通り多数の分割パート１１０ａ、１１０ｂ（図示せず）、１１０ｃ（図示せず）、１１０ｄは互いにねじもしくはフックによって結合されてもよい。ここで図４Ａおよび図４Ｂは図１の上部収納容器を構成する分割パートの結合関係を示した部分切開斜視図である。例えば図４Ａを参照すれば分割パート１１０ａに形成されたフック１１３と分割パート１１０ｄに形成されたフック結合孔１１４が結合される。また図４Ｂを参照すれば分割パート１１０ａに形成されたねじ結合孔１１６と分割パート１１０ｄに形成されたねじ結合孔１１７を通じて、ねじ１１５が結合される。また、分割パート１１０ａ、１１０ｂ（図示せず）、１１０ｃ（図示せず）、１１０ｄはレーザ溶接、接着剤、または両面テープなどを利用して固定結合されてもよい。
【００４３】
このように、各分割パート１１０ａ、１１０ｂ（図示せず）、１１０ｃ（図示せず）、１１０ｄは下部収納容器１６０にだけ結合されてもよく、各分割パート１１０ａ、１１０ｂ（図示せず）、１１０ｃ（図示せず）、１１０ｄがお互いにのみ結合されてもよい。もちろん各分割パート１１０ａ、１１０ｂ、１１０ｃ、１１０ｄは下部収納容器１６０に締結されると同時に互いに結合されてもよい。
【００４４】
このように上部収納容器１１０が下部収納容器１６０と結合すれば、上部収納容器１１０および下部収納容器１６０の傾斜した側壁によって外部の衝撃を受けたとしても上部収納容器１１０が下部収納容器１６０から簡単に分離することを防止することができる。したがって上部収納容器１１０と下部収納容器１６０の結合力を高めることができる。
【００４５】
以下図５および図６を参照して本発明の一実施形態による液晶表示装置に対して説明する。図５は本発明の一実施形態による液晶表示装置の断面図である。図６は図５の変形例である。
【００４６】
図５に図示するように、本発明の一実施形態による液晶表示装置２００は側面が傾斜した液晶表示モジュール１００とこれを収納する第１および第２ハウジング２１２、２１４を含む。
【００４７】
第１ハウジング２１２は上部収納容器１１０に対応して液晶表示モジュール１００の前面に配置されており、第１ハウジング２１２には液晶パネル１３６を外部に露出させるウインドウが形成されている。第２ハウジング２１４は下部収納容器１６０に対応して液晶表示モジュール１００の背面に配置される。
【００４８】
液晶表示モジュール１００はブラケット２２０によって第１ハウジング２１２または第２ハウジング２１４と結合されてもよい。すなわち第１ハウジング２１２または第２ハウジング２１４に結合されたブラケット２２０は液晶表示モジュール１００の上部収納容器１１０と結合部材２３０を利用して結合される。このような結合部材２３０としてはねじなどが使用されてもよい。結合部材２３０は図５に図示されたように上部収納容器１１０の傾斜した側壁に対して垂直に挿入されてもよく、図６のように液晶表示モジュール１００の後方から上部収納容器１１０の上板に対して垂直な方向に挿入されてもよい。ブラケット２２０を利用して第１ハウジング２１２に液晶表示モジュール１００を結合した後、結合部材２３０が上部収納容器１１０の側壁に挿入され、第１ハウジング２１２および第２ハウジング２１４はお互いに結合されてもよい。ここにおいて、図５および図６に示すように、結合部材２３０が上部収納容器１１０の側壁に挿入されるときには、未だ上部収納容器１１０は露出されているため、上部収納容器１１０の側壁に結合部材２３０を挿入することを容易に行うことできる。  
【００４９】
第１ハウジング２１２または第２ハウジング２１４の側壁は液晶表示モジュール１００の側面に沿って傾斜するように形成されてもよい。
【００５０】
以下図７を利用して本発明の他の実施形態による液晶表示装置について説明する。図７は本発明の他の実施形態による液晶表示装置の断面図である。
【００５１】
図７に図示されたように、第１ハウジング２１２および第２ハウジング３１４が全体的に長方形の形状を成している場合、第１ハウジング２１２または第２ハウジング３１４の側壁と液晶表示モジュール１００の側面の間に収納空間ができるようになる。したがってこのような収納空間に液晶表示装置３００の動作に必要な多様な付属品３１０が実装されてもよい。したがって液晶表示装置３００の全体的なスリム化を成し遂げることができる。例えば付属品３１０としては音響装置などが含まれてもよい。
【００５２】
以下図８ないし図１２を参照して本発明の液晶表示装置の多様な変形例について説明する。
【００５３】
図８は図１の上部収納容器の変形例であって、図８を参照すれば上部収納容器４００は「Ｌ」字形状を有した２個の分割パート４１０ａ、４１０ｂで構成されてもよい。本実施形態では２個の分割パート４１０ａ、４１０ｂの境界部が角の部分に位置しているが、これに限定されず任意の位置に形成されてもよい。
【００５４】
図９および図１０は図３Ａの液晶表示モジュールの変形例である。図９および図１０に図示された液晶表示モジュール５００、５１０は液晶パネル１３６の長辺に隣接した側面のうち何れか一つが傾斜した構造を有する。具体的に図９に図示された液晶表示モジュール５００は印刷回路基板１３５に隣接する側面は傾斜しているが、これの反対の側面は傾斜しない構造を有する。図１０に図示された液晶表示モジュール５１０は印刷回路基板１３５に隣接する側面は傾斜しないが、これと反対の側面は傾斜した構造を有する。
【００５５】
図１１および図１２は図３Ｃの液晶表示モジュールの変形例である。図１１および図１０に図示された液晶表示モジュール５２０、５３０は液晶パネル１３６の短辺に隣接した側面のうち何れか一つが傾斜した構造を有する。
【００５６】
以上のように本発明の多様な実施形態による液晶表示装置は液晶表示モジュールの側面のうち少なくとも一側面が傾斜した構造を有し得、一側面のうち一部だけが傾斜した構造を有することもできる。
【００５７】
以上添付された図面を参照して本発明の実施形態を説明したが、本発明は実施形態に限定されるものではなく互いに異なる多様な形態で製造され得、本発明が属する技術分野で通常の知識を有する者は本発明の技術的思想や必須の特徴を変更せず、他の具体的な形態で実施され得るということを理解できるであろう。したがって以上で記述した実施形態はすべての面で例示的なものであり、限定的ではないことと理解しなければならない。
【産業上の利用可能性】
【００５８】
本発明は構造安全性とスリム化を具現できる表示装置、上部収納容器および表示装置の組立て方法に関するものである。
【図面の簡単な説明】
【００５９】
【図１】本発明の一実施形態による液晶表示モジュールを示す分解斜視図である。
【図２Ａ】図１の液晶表示モジュールを組立てた斜視図である。
【図２Ｂ】図２Ａの液晶表示モジュールの側面図である。
【図３Ａ】図２Ａの液晶表示モジュールをＡ−Ａ'線で切断した断面図である。
【図３Ｂ】図３Ａの変形例である。
【図３Ｃ】図２Ａの液晶表示モジュールをＢ−Ｂ'線で切断した断面図である。
【図４Ａ】図１の上部収納容器を構成する分割パートの結合関係を示した部分切開斜視図である。
【図４Ｂ】図１の上部収納容器を構成する分割パートの結合関係を示した部分切開斜視図である。
【図５】本発明の一実施形態による液晶表示装置の断面図である。
【図６】図５の変形例である。
【図７】本発明の他の実施形態による液晶表示装置の断面図である。
【図８】図１の上部収納容器の変形例である。
【図９】図１０は図３Ａの液晶表示モジュールの変形例である。
【図１０】図３Ａの液晶表示モジュールの変形例である。
【図１１】図３Ｃの液晶表示モジュールの変形例である。
【図１２】図３Ｃの液晶表示モジュールの変形例である。
【符号の説明】
【００６０】
１００、５００、５１０、５２０、５３０    液晶表示モジュール
１１０、４１０    上部収納容器
１１０ａ、１１０ｂ、１１０ｃ、１１０ｄ、４１０ａ、４１０ｂ    分割パート
１３０    液晶パネルアッセンブリ
１３１    ゲートチップフィルムパッケージ
１３２    データチップフィルムパッケージ
１３３    下部表示板
１３４    上部表示板
１３５    印刷回路基板
１３６    液晶パネル
１４０    バックライトアッセンブリ
１４１    光学シート
１４２    拡散プレート
１４３    ランプ
１４４    反射板
１４５    第１側部モールド
１４６    第２側部モールド
１４８    ランプソケット
１５０    収納フレーム
１６０    下部収納容器
２００、３００    液晶表示装置
２１２    第１ハウジング
２１４、３１４    第２ハウジング
２２０    ブラケット
２３０    締結部材
３１０    付属品
【図１】
0005372426.tif 000002
【図２Ａ】
0005372426.tif 000003
【図２Ｂ】
0005372426.tif 000004
【図３Ａ】
0005372426.tif 000005
【図３Ｂ】
0005372426.tif 000006
【図３Ｃ】
0005372426.tif 000007
【図４Ａ】
0005372426.tif 000008
【図４Ｂ】
0005372426.tif 000009
【図５】
0005372426.tif 000010
【図６】
0005372426.tif 000011
【図７】
0005372426.tif 000012
【図８】
0005372426.tif 000013
【図９】
0005372426.tif 000014
【図１０】
0005372426.tif 000015
【図１１】
0005372426.tif 000016
【図１２】
0005372426.tif 000017